(57)【要約】      （修正有）【課題】エレベータかご内の一部に、簡単に覆うことができるトイレスペースを確保し、安心して用足しができるようにしたエレベータのかご内トイレ装置を得る。【解決手段】エレベータかごの壁面に設けられ、通常時は壁面に折り畳み状態に格納されており、要時には開放されるとともに、かごの天井及び床に上下部が固定されてかご内に仕切られたトイレスペースを形成するトイレスペース形成手段と、かごに設けられ、通常時はトイレスペース形成手段により隠蔽されており、要時にはトイレスペース形成手段が開放されることにより、かご内に出現して乗客の使用に供されるトイレ関連備品８〜１７と備える。【選択図】図８
2008114951.tif 000002
【特許請求の範囲】
【請求項１】
エレベータかごの壁面に設けられ、通常時は前記壁面に折り畳み状態に格納されており、要時には開放されるとともに、かごの天井及び床に上下部が固定されて前記かご内に仕切られたトイレスペースを形成するトイレスペース形成手段と、
前記かごに設けられ、通常時は前記トイレスペース形成手段により隠蔽されており、要時には前記トイレスペース形成手段が開放されることにより、前記かご内に出現して乗客の使用に供されるトイレ関連備品と、
備えたことを特徴とするエレベータのかご内トイレ装置。
【請求項２】
トイレスペース形成手段は、所定の遠隔操作により開放可能な遠隔開錠装置を備えたことを特徴とする請求項１記載のエレベータのかご内トイレ装置。
【請求項３】
トイレスペース形成手段は、かご内に面する一部に扉を備えたことを特徴とする請求項１又は請求項２記載のエレベータのかご内トイレ装置。
【請求項４】
トイレスペース形成手段の一部である扉は、ハンドル及びロック装置を備えたことを特徴とする請求項３記載のエレベータのかご内トイレ装置。
【請求項５】
トイレスペース形成手段は、昇降路側に面する壁の一部を昇降路側に張り出すことにより、トイレスペースを拡大できるように構成したことを特徴とする請求項１〜請求項４のいずれかに記載のエレベータのかご内トイレ装置。
【請求項６】
エレベータかごの天井に設けられたロールと、
通常時は前記ロールに巻き込み状態に格納されており、要時には引き出されてかご床まで降下し、かご床に下部が固定されて前記かご内に仕切られたトイレスペースを形成するトイレスペース形成幕と、
前記かごに設けられ、通常時は隠蔽されており、要時には前記かご内に出現して乗客の使用に供されるトイレ関連備品と、
備えたことを特徴とするエレベータのかご内トイレ装置。
【請求項７】
トイレスペース形成幕の一部に、チャックとファスナーからなる出入口を備えたことを特徴とする請求項６記載のエレベータのかご内トイレ装置。
【請求項８】
トイレ関連備品は、給水タンク、給水配管、給水コック、折り畳み式の便座枠、トイレ用袋、トイレ用袋の廃棄箱等を少なくとも備えたことを特徴とする請求項１又は請求項６記載のエレベータのかご内トイレ装置。
【請求項９】
トイレ関連備品は、トイレスペースの床面に設けられる折り畳み式の受け皿を更に備えたことを特徴とする請求項８記載のエレベータのかご内トイレ装置。
【請求項１０】
トイレ関連備品は、トイレ使用の注意事項を記載した注意名板を含むことを特徴とする請求項８又は請求項９記載のエレベータのかご内トイレ装置。
【請求項１１】
かご操作盤付近に、トイレスペース組立て説明図を備えたことを特徴とする請求項１〜請求項１０のいずれかに記載のエレベータのかご内トイレ装置。
【発明の詳細な説明】
【技術分野】
【０００１】
この発明は、エレベータのかご内トイレ装置に関するものである。
【背景技術】
【０００２】
エレベータ走行中に地震が発生、又は何らかの異常により、或いは火災の発生により安全装置が働いて、昇降路の途中でかごが停止し、乗客が閉じ込められる場合がある。この場合、かご内に閉じ込められた乗客は、長時間救出に来てもらえないことも考えられる。
【０００３】
従来は、乗客がかご内に閉じ込められた場合、非常時に用いる携帯ラジオ、懐中電灯、乾パン、非常用水など最小限の物をかご内に備えて、緊急時に役立てようとするものが提案されている(例えば、特許文献１参照)。
【０００４】
【特許文献１】実用新案登録第３１２２６７９号公報
【発明の開示】
【発明が解決しようとする課題】
【０００５】
従来の非常時に用いる非常用物品をかご内に備えて、緊急時に役立てるものでは、乗客がかご内に閉じ込められた場合、給水などの対応は可能であるが、しかし、生理現象でトイレに行きたくなった場合は、個人差もあるが、余り長時間は我慢できない人もいる。また、市販されている尿の固まるドライブ用の携帯トイレ袋があるが、かご内で乗り合わせた人の前では羞恥心が働いて使用しづらいという問題がある。
【０００６】
この発明は、上述のような課題を解決するためになされたもので、エレベータかご内の一部に、簡単に覆うことができるトイレスペースを確保し、安心して用足しができるようにしたエレベータのかご内トイレ装置を提供するものである。
【課題を解決するための手段】
【０００７】
この発明に係るエレベータのかご内トイレ装置は、エレベータかごの壁面に設けられ、通常時は壁面に折り畳み状態に格納されており、要時には開放されるとともに、かごの天井及び床に上下部が固定されてかご内に仕切られたトイレスペースを形成するトイレスペース形成手段と、かごに設けられ、通常時はトイレスペース形成手段により隠蔽されており、要時にはトイレスペース形成手段が開放されることにより、かご内に出現して乗客の使用に供されるトイレ関連備品とを備えたものである。
【発明の効果】
【０００８】
この発明によれば、エレベータかご内の一部に、簡単に覆うことができるトイレスペースを確保することができるので、昇降路の途中でかごが停止し、乗客が閉じ込められ、長時間救出に来てもらえない場合でも、トイレスペースにより安心して用足しをすることができる効果がある。
【発明を実施するための最良の形態】
【０００９】
実施の形態１．
図１はこの発明の実施の形態１におけるエレベータのかご内トイレ装置を示す昇降路の横断面図、図２はエレベータのかご内トイレ装置のトイレスペース部分を一部開いて示す横断面図、図３はエレベータのかご内トイレ装置のトイレスペース部分を更に開いて示す横断面図、図４はエレベータのかご内トイレ装置のトイレスペース部分の後外壁を後に張り出した状態を示す横断面図、図５は図４のＡ−Ａ線に沿った拡大断面図、図６はトイレスペース部分を構成する壁をトイレの内側から見た詳細斜視図、図７はエレベータのかご内トイレ装置を示す斜視図、図８はエレベータのかご内トイレ装置の使用状態を示す詳細斜視図、図９は図８のＢ−Ｂ線に沿った断面図である。
【００１０】
図において、１はエレベータの昇降路、２はつり合いおもり、３はエレベータかごのかご床、４はかご内に設置されるトイレスペース、５はかごの後側壁、６はかごの側面壁であり、上記トイレスペース４は、次に述べるトイレスペース形成手段により構成されている。
すなわち、かごの後側壁５の一側端部は、一側端寄りの後側壁５に一端を軸支され、かご内側に開放される仕切り壁５ａと、この仕切り壁５ａの他端後面側に折り畳み可能に軸支され、開放時に後側壁５と平行に配置される袖壁５ｂと、仕切り壁５ａの後面側に位置する後外壁５ｃと、後外壁５ｃを後面の昇降路側に張り出すための補助壁５ｄと、仕切り壁５ａ、袖壁５ｂ、後外壁５ｃ、補助壁５ｄをそれぞれ回動可能に軸支するための複数のヒンジピン５ｅと、袖壁５ｂに設けられたロック用穴５ｆとを備えている。これらは通常時は、図１に示すように、後側壁５表面と面一となるように格納状態にあるが、要時には、図２及び図４に示すように、開放されることにより、トイレスペース４の左側壁全部、正面壁の一部、後面壁全部を形成する。
また、かごの一方の側面壁の後端部は、後端部寄りの側面壁６に一端を軸支され、かご内側に開放される扉壁６ａと、この扉壁６ａの裏面側に位置し、通常時は扉壁６ａを凹部内に収容する中壁６ｂと、この中壁６ｂよりかご内側に張り出しており、扉壁６ａの収容状態では扉壁６ａ及び側面壁６の表面と面一となる袖壁６ｃと、扉壁６ａを回動可能に軸支するためのヒンジピン６ｄとを備えている。これらは通常時は、図１に示すように、格納状態にあるが、要時には、図３及び図４に示すように、扉壁６ａが開放されることにより、トイレスペース４の正面壁左側の扉全部と、右側壁全部を形成する。
７は開放された袖壁５ｂの背面の上下端部にそれぞれ設けられたストッパーピンであり、かごの天井部及びかご床にそれぞれ設けられた固定用の穴（図示せず）に挿入することにより、仕切り壁５ａと袖壁５ｂを固定する。７ａはストッパーピン７を上下方向にガイドする筒部、７ｂは筒部７ａに設けられたガイド穴、７ｃはストッパーピン７に突出して設けられたガイドピンで、ガイド穴７ｂ内に上下方向に移動可能に収納されており、かご内の乗客が操作できる位置に設けられている。８は後外壁５ｃの下部前面壁にヒンジピン８ａにより折り畳み可能に設けられたトイレ用の便座枠で、要時には図８に示すように、水平状態に倒されて乗客の使用に供される。８ｂは便座枠８の取付端部に設けられたストッパーである。９は後外壁５ｃの下端部前面壁にヒンジピン９ａにより折り畳み可能に設けられたトイレ用の受け皿で、要時には図５及び図８に示すように、かご床３上に水平状態に載置されて乗客の使用に供される。９ｂは受け皿９の取付端部側に設けられた深皿、９ｃは受け皿９の先端部及び左右側部に設けられた突堤部、９ｄは深皿９ｂの底部に設けられたドレン穴である。
また、通常時、扉壁６ａの裏面側に位置する中壁６ｂには、上部から下部に向かって順に各種のトイレ関連備品が設けられており、要時にはかご内に出現して乗客の使用に供される。すなわち、上から順に給水タンク１０、注意事項が表面に記載された注意名板１１、多数のトイレ用ビニール袋が収納されたトイレ用ビニール袋収納部１２、多数の紙コップが収納された紙コップ収納部１３、ティッシュペーパーが収納されたティッシュペーパー収納部１４、給水及び手洗い口１５、使用済みトイレ用ビニール袋を棄てるための廃棄口及びその蓋１６、使用済みトイレ用ビニールを格納しておくトイレ用ビニール袋廃棄箱の蓋１７、トイレ用ビニール袋廃棄箱内に設けられ、使用済みトイレ用ビニール袋を溜めるためのビニールゴミ袋１８、トイレ用ビニール廃棄箱の蓋１７を開放するための鍵１９がそれぞれ設けられており、通常時は図１に示すように、扉壁６ａで全てが塞がれており、要時には、図８に示すように、扉壁６ａが開放されることにより、各種のトイレ関連備品が表面に現われるように構成されている。１０ａは給水タンク１０の上蓋、１０ｂは給水タンク１０から出ているエルボ、１０ｃはエルボ１０ｂに接続された給水配管、１０ｄは給水配管１０ｃの先端部に設けられた蛇口コックで、給水及び手洗い口１５に配置されている。１０ｅは給水タンク１０を固定している固定バンド、２０は扉壁６ａの裏面側に設けられたハンドル、２０ａはハンドル２０に設けられたロック装置、２１は仕切り壁５ａに設けられた仕切り壁開錠用の遠隔操作鍵、２２はかご内に閉じ込められた乗客、２３はトイレ用便座枠８にセットされた使用中のトイレ用ビニール袋である。
【００１１】
以上のように構成されたエレベータのかご内トイレ装置において、エレベータ走行中に地震が発生、又は何らかの異常により、或いは火災の発生により安全装置が働いて、昇降路の途中でかごが停止し、乗客が閉じ込められ、生理現象でトイレに行きたくなった場合、管理人室或いは保守管理会社とのインターホンでの連絡により、管理人室又は保守管理会社からの遠隔操作で、仕切り壁５ａに設けられた仕切り壁開錠用の遠隔操作鍵２１を開放してもらう。次に、図示を省略したトイレスペース組立て説明図（かご内操作盤付近に掲示すると良い）等を参照しながら、仕切り壁５ａと袖壁５ｂを図２に示すように開き、図６に示すように、袖壁５ｂの上下端部に設けられたストッパーピン７をかごの天井部及びかご床３にそれぞれ設けられた固定用の穴（図示せず）に挿入することにより、仕切り壁５ａと袖壁５ｂを固定する。次に、トイレの扉壁６ａを図３に示すように開く。扉壁６ａには、簡単なハンドル２０とロック装置２０ａが備えられている。次に、図４に示すように、トイレスペース４の後外壁５ｃを後面の昇降路側に張り出してスペースを広げる。後外壁５ｃはヒンジピン５ｅで軸支されて折り畳み状態にある補助壁５ｄを広げることにより拡大が可能に形成されている。更に、後外壁５ｃに設けられたトイレ用の受け皿９を水平状態に倒すことにより、深皿９ｂが広げられたトイレスペース４の後外壁５ｃの底部部分に収容されて後外壁５ｃが固定される。また、後外壁５ｃに設けられたトイレ用の便座枠８を水平状態に倒すことにより、トイレが使用可能となるので、使用に当たっては、トイレ用ビニール袋２３を便座枠８にセットしてから使用する。最後に給水タンク１０の上蓋１０ａを緩めれば、給水タンク１０に空気が入るので、給水及び手洗い口１５の蛇口コック１０ｄを捻れば水が出る。
【００１２】
以上により、乗客がかご内に長時間閉じ込められても、トイレが使用可能となるので、乗客のうちのトイレ利用者は、トイレ使用注意書きを見て、トイレ用ビニール袋２３を便座枠８にセットして使用することができるので、生理的要求に対しても簡易トイレで対応することができる。また、トイレスペース４には、受け皿９があるため、漏れた水が受け皿９の背面のドレン穴９ｄより昇降路へ排出することができるので、かご床３に漏れ水が広がらないようにすることができる。
【００１３】
実施の形態２．
図１０はこの発明の実施の形態２におけるエレベータのかご内トイレ装置の使用状態を示す斜視図、図１１はこの発明の実施の形態２におけるエレベータのかご内トイレ装置の要部構造を示す詳細斜視図、図１２は図１１のＣ−Ｃ線に沿った断面図、図１３は図１１のＤ−Ｄ線に沿った断面図である。なお、実施の形態１と同一又は相当部分には同一符号を付して説明を省略する。
【００１４】
上記実施の形態１では、仕切り壁５ａと、袖壁５ｂと、後外壁５ｃと、補助壁５ｄと、複数のヒンジピン５ｅと、ロック用穴５ｆとでトイレスペース４の左側壁全部、正面壁の一部、後面壁全部を形成し、また、扉壁６ａと、中壁６ｂと、袖壁６ｃとでトイレスペース４の正面壁左側の扉全部と、右側壁全部を形成しているが、この実施の形態２においては、コストを下げるために、トイレスペース４の左側全部と正面側全部を遮断幕によって覆うことで、安価にトイレスペースを形成できるようにしたものである。
すなわち、２４はロール２４ａに巻き付けられ、通常時はかごの天井部内に収納されている一方の遮断幕であり、昇降路の途中でかごが停止し、乗客が閉じ込められ、生理現象でトイレに行きたくなった場合、管理人室或いは保守管理会社とのインターホンでの連絡により、管理人室又は保守管理会社からの遠隔操作で、遮断幕２４が降下してくるものである。２４ｂは遮断幕２４のかごの後側壁５側に設けられたガイド部、２４ｃは遮断幕２４の下端部に設けられたフック部、２４ｄはかご床３に設けられたフック固定金具、２４ｅは遮断幕２４の一側縁部に設けられたチャックである。また、２５はロール２５ａに巻き付けられ、通常時はかごの天井部内に収納されている他方の遮断幕であり、昇降路の途中でかごが停止し、乗客が閉じ込められ、生理現象でトイレに行きたくなった場合、管理人室或いは保守管理会社とのインターホンでの連絡により、管理人室又は保守管理会社からの遠隔操作で、同様に遮断幕２５が降下してくるものである。２５ｂは遮断幕２５のかごの側面壁６側に設けられたガイド部、２５ｃは遮断幕２５の下端部に設けられたフック部、２５ｄはかご床３に設けられたフック固定金具、２５ｅは遮断幕２５の一側縁部に設けられたチャック、２５ｆはチャック２４ｅ、２５ｅ同士を互いに接続するファスナーである。２６はかごの後側壁５に縦方向全体に亘って設けられたガイド溝で、遮断幕２４のガイド部２４ｂを案内するものである。２６ａはガイド溝２６を昇降路側からカバーするガイド溝カバーである。２７はかごの側面壁５に縦方向全体に亘って設けられたガイド溝で、遮断幕２５のガイド部２５ｂを案内するものである。２７ａはガイド溝２７を昇降路側からカバーするガイド溝カバーである。なお、この実施の形態２においては、トイレ用の便座枠８及びトイレ用の受け皿９は、扉壁６ａの裏面側に位置する中壁６ｂの下部、すなわち、給水及び手洗い口１５の下方で、トイレ用ビニール袋廃棄箱の蓋１７の前面に折り畳み可能に設けられている。
【００１５】
以上の構成において、トイレスペースを使用する場合は、かごの天井面に内蔵したロール２４ａ、２５ａにそれぞれ巻き付けられている遮断幕２４、２５を、管理人室或いは保守管理会社とのインターホンでの連絡により、管理人室又は保守管理会社からの遠隔操作で、降下させる。そして、トイレスペース組立て説明図等を参照しながら、遮断幕２４、２５の下部先端のフック部２４ｃ、２５ｃをかご床のフック固定金具２４ｄ、２５ｄに引っ掛けて固定する。遮断幕２４、２５とかごの後側壁５、側面壁６の隙間は、それぞれのガイド溝２６、２７の中を遮断幕２４、２５のガイド部２４ｂ、２５ｂがガイドされることにより、閉じられている。また、遮断幕２４、２５同士の合わせ目はチャック２４ｅ、２５ｅとファスナー２５ｆにより閉じられている。また、遮断幕２５の側面壁６寄りにチャックとファスナーの組み合わせにより閉じられるトイレスペース４への出入口２８を設けているので、覗かれる恐れはない。これにより、安価に構成することができる。
【００１６】
実施の形態３．
図１４はこの発明の実施の形態３におけるエレベータのかご内トイレ装置の収納状態を示す斜視図、図１５はエレベータのかご内トイレ装置のトイレスペース部分の収納状態を示す横断面図、図１６はエレベータのかご内トイレ装置のトイレスペース部分の壁パネルを開いた状態を示す横断面図、図１７はエレベータのかご内トイレ装置のトイレスペース部分の組立てた状態を示す横断面図、図１８はこの発明の実施の形態３におけるエレベータのかご内トイレ装置の使用状態を示す斜視図である。なお、実施の形態１と同一又は相当部分には同一符号を付して説明を省略する。
【００１７】
この実施の形態３においては、かご内に設置されるトイレスペース４は、次のような壁パネルからなるトイレスペース形成手段により構成されている。
すなわち、かごの一方の側面壁の後端部は、後端部寄りの側面壁６に一端を軸支された四方枠２９ａの枠内に幕が張られた構成であり、通常時はかごの側面壁の一部を構成し、使用時にはかご内側に開放されてトイレスペース４の正面側全部を形成する幕パネル２９と、この幕パネル２９の他端に一端を軸支された四方枠３０ａの枠内に幕が張られた構成であり、通常時は折り畳まれて幕パネル２９の裏面側に配置され、使用時にはかご内側に開放されてトイレスペースの左側扉を形成する幕パネル扉３０と、この幕パネル扉３０の他端に設けられたハンドル２０及びロック装置２０ａと、幕パネル２９、幕パネル扉３０をそれぞれ回動可能に軸支するためのヒンジピン２９ｂ、３０ｂとを備えている。また、かごの後側壁５にはロック装置２０ａが係合するロック用穴５ｆが設けられている。また、これらは通常時は、図１４及び図１５に示すように、格納状態にあるが、要時には、図１６〜図１８に示すように、幕パネル２９及び幕パネル扉３０が開放されることにより、トイレスペース４の正面壁全部と、左側扉全部を形成する。
【００１８】
幕パネル２９、幕パネル扉３０からなる壁パネルは、簡便な構成の四方枠２９ａ、３０ａと、枠の内側に貼られた幕とで構成されたもので、これらをヒンジピン２９ｂ、３０ｂで回動可能に接続し、それを折り畳んで側面壁６の一部の凹部に収納したものである。そして、実施の形態１と同様に、遠隔操作により、必要な時に幕パネル２９に設けられた壁パネル開錠用の遠隔操作鍵２１を開放させて、壁パネルを開き、トイレスペース組立て説明図を参照して組立てる。壁パネルの背面の内部には、実施の形態１と同様に、各種のトイレ関連備品が設けられているが、必要により最小限の備品に絞ることも可能である。
【００１９】
なお、上記説明では、図示を省略したが、トイレスペース４内に非常電源による停電灯を設置したり、狭いかご内であるから匂いが伝わらないようにトイレ背面に非常電源により動作する強制換気装置を備えるとより好適なものとなる。また、トイレ用ビニール袋は市販されている尿の固まるドライブ用の携帯トイレ袋であっても良い。
【図面の簡単な説明】
【００２０】
【図１】この発明の実施の形態１におけるエレベータのかご内トイレ装置を示す昇降路の横断面図である。
【図２】この発明の実施の形態１におけるエレベータのかご内トイレ装置のトイレスペース部分を一部開いて示す横断面図である。
【図３】この発明の実施の形態１におけるエレベータのかご内トイレ装置のトイレスペース部分を更に開いて示す横断面図である。
【図４】この発明の実施の形態１におけるエレベータのかご内トイレ装置のトイレスペース部分の後外壁を後に張り出した状態を示す横断面図である。
【図５】図４のＡ−Ａ線に沿った拡大断面図である。
【図６】この発明の実施の形態１におけるエレベータのかご内トイレ装置のトイレスペース部分を構成する壁をトイレの内側から見た詳細斜視図である。
【図７】この発明の実施の形態１におけるエレベータのかご内トイレ装置を示す斜視図である。
【図８】この発明の実施の形態１におけるエレベータのかご内トイレ装置の使用状態を示す詳細斜視図である。
【図９】図８のＢ−Ｂ線に沿った断面図である。
【図１０】この発明の実施の形態２におけるエレベータのかご内トイレ装置の使用状態を示す斜視図である。
【図１１】この発明の実施の形態２におけるエレベータのかご内トイレ装置の要部構造を示す詳細斜視図である。
【図１２】図１１のＣ−Ｃ線に沿った断面図である。
【図１３】図１１のＤ−Ｄ線に沿った断面図である。
【図１４】この発明の実施の形態３におけるエレベータのかご内トイレ装置の収納状態を示す斜視図である。
【図１５】この発明の実施の形態３におけるエレベータのかご内トイレ装置のトイレスペース部分の収納状態を示す横断面図である。
【図１６】この発明の実施の形態３におけるエレベータのかご内トイレ装置のトイレスペース部分の壁パネルを開いた状態を示す横断面図である。
【図１７】この発明の実施の形態３におけるエレベータのかご内トイレ装置のトイレスペース部分の組立てた状態を示す横断面図である。
【図１８】この発明の実施の形態３におけるエレベータのかご内トイレ装置の使用状態を示す斜視図である。
【符号の説明】
【００２１】
１  昇降路
２  つり合いおもり
３  かご床
４  トイレスペース
５  後側壁
５ａ  仕切り壁
５ｂ  袖壁
５ｃ  後外壁
５ｄ  補助壁
５ｅ、６ｄ、８ａ、９ａ、２９ｂ、３０ｂ  ヒンジピン
５ｆ  ロック用穴
６  側面壁
６ａ  扉壁
６ｂ  中壁
６ｃ  袖壁
７  ストッパーピン
７ａ  筒部
７ｂ  ガイド穴
７ｃ  ガイドピン
８  トイレ用便座枠
８ｂ  ストッパー
９  トイレ用受け皿
９ｂ  深皿
９ｃ  突堤部
９ｄ  ドレン穴
１０  給水タンク
１０ａ  上蓋
１０ｂ  エルボ
１０ｃ  給水配管
１０ｄ  蛇口コック
１０ｅ  固定バンド
１１  注意名板
１２  トイレ用ビニール袋収納部
１３  紙コップ収納部
１４  ティッシュペーパー収納部
１５  給水及び手洗い口
１６  廃棄口及びその蓋
１７  トイレ用ビニール袋廃棄箱の蓋
１８  ビニールゴミ袋
１９  鍵
２０  ハンドル
２０ａ  ロック装置
２１  遠隔操作鍵
２２  乗客
２３  トイレ用ビニール袋
２４、２５  遮断幕
２４ａ、２５ａ  ロール
２４ｂ、２５ｂ  ガイド部
２４ｃ、２５ｃ  フック部
２４ｄ、２５ｄ  フック固定金具
２４ｅ、２５ｅ  チャック
２５ｆ  ファスナー
２６、２７  ガイド溝
２６ａ、２７ａ  ガイド溝カバー
２８  トイレスペース出入口
２９  幕パネル
３０  幕パネル扉
２９ａ、３０ａ  四方枠
【図１】
2008114951.tif 000003
【図２】
2008114951.tif 000004
【図３】
2008114951.tif 000005
【図４】
2008114951.tif 000006
【図５】
2008114951.tif 000007
【図６】
2008114951.tif 000008
【図７】
2008114951.tif 000009
【図８】
2008114951.tif 000010
【図９】
2008114951.tif 000011
【図１０】
2008114951.tif 000012
【図１１】
2008114951.tif 000013
【図１２】
2008114951.tif 000014
【図１３】
2008114951.tif 000015
【図１４】
2008114951.tif 000016
【図１５】
2008114951.tif 000017
【図１６】
2008114951.tif 000018
【図１７】
2008114951.tif 000019
【図１８】
2008114951.tif 000020